(57)【要約】【課題】現在状態に基づき応答メッセージを送信する電子装置及びその動作方法を提供する。【解決手段】本発明の電子装置の動作方法は、受信したメッセージを予め設定された時間内に確認したか否かを判断するステップと、受信したメッセージを設定された時間内に確認していない場合、メッセージを発信した電子装置の連絡先が予め設定された連絡先であるか否かを判断するステップと、メッセージを発信した電子装置の連絡先が設定された連絡先の場合、予め設定された自動応答メッセージ状態を反映してメッセージを発信した電子装置に自動応答メッセージを送信するステップと、を有する。【選択図】図１１
2014103658.tif 000002
【特許請求の範囲】
【請求項１】
現在状態に基づき応答メッセージを送信する電子装置の動作方法であって、
受信したメッセージを予め設定された時間内に確認したか否かを判断するステップと、
前記受信したメッセージを前記設定された時間内に確認していない場合、前記メッセージを発信した電子装置の連絡先が予め設定された連絡先であるか否かを判断するステップと、
前記メッセージを発信した電子装置の連絡先が前記設定された連絡先の場合、予め設定された自動応答メッセージ状態を反映して前記メッセージを発信した電子装置に自動応答メッセージを送信するステップと、を有することを特徴とする電子装置の動作方法。
【請求項２】
電源が入っているか否かを判断するステップと、
前記電源が入っていない場合、該電源が入った後、累積された少なくとも１つのメッセージを受信するステップと、を更に含むことを特徴とする請求項１に記載の電子装置の動作方法。
【請求項３】
前記電源が入っている場合、動作中のモード状態が節電モードに設定されているか否かを判断するステップと、
前記動作中のモード状態が前記節電モードに設定されている場合、該節電モード状態が一般モード状態に切り替えられた後、累積された少なくとも１つのメッセージを受信するステップと、を更に含むことを特徴とする請求項２に記載の電子装置の動作方法。
【請求項４】
前記電源が入っている場合、動作中のモード状態が節電モードに設定されているか否かを判断するステップと、
前記動作中のモード状態が前記節電モードに設定されていない場合、メッセージを受信するステップと、を更に含むことを特徴とする請求項２に記載の電子装置の動作方法。
【請求項５】
前記受信したメッセージを前記設定された時間内に確認した場合、前記設定された時間内に前記メッセージを発信した電子装置に前記受信したメッセージに対する応答メッセージを送信したか否かを判断するステップと、
前記設定された時間内に前記メッセージを発信した電子装置に前記受信したメッセージに対する応答メッセージが送信されたかを確認するステップと、を更に含むことを特徴とする請求項１に記載の電子装置の動作方法。
【請求項６】
前記メッセージを発信した電子装置の連絡先が前記設定された連絡先の場合、前記設定された自動応答メッセージ状態を反映して前記メッセージを発信した電子装置に自動応答メッセージを送信するステップは、
前記設定された自動応答メッセージ状態を確認するステップと、
前記確認された自動応答メッセージ状態が第１メッセージを送信するように設定されている場合、前記第１メッセージを作成するために現在の状況を判断するステップと、
前記判断した現在の状況を反映して前記第１メッセージを作成するステップと、
前記メッセージを発信した電子装置に前記作成された第１メッセージを送信するステップと、を含むことを特徴とする請求項１に記載の電子装置の動作方法。
【請求項７】
前記第１メッセージを作成するために現在の状況を判断するステップは、
ＧＰＳ衛星及び基地局のうちの少なくとも１つから現在の位置情報を受信するステップと、
前記現在の位置情報を受信した結果、予め設定された地域から離れた場所に位置しているかを確認するステップと、を含むことを特徴とする請求項６に記載の電子装置の動作方法。
【請求項８】
前記第１メッセージを作成するために現在の状況を判断するステップは、
ＧＰＳ衛星及び基地局のうちの少なくとも１つから現在の時刻情報を受信するステップと、
前記現在の時刻情報を受信した結果、予め設定された時間が経過したかを確認するステップと、を含むことを特徴とする請求項６に記載の電子装置の動作方法。
【請求項９】
前記第１メッセージを作成するために現在の状況を判断するステップは、
ＧＰＳ衛星及び基地局のうちの少なくとも１つから現在の時刻情報を受信するステップと、
前記現在の時刻情報を受信した結果、予め設定された時間範囲内にいるかを確認するステップと、を含むことを特徴とする請求項６に記載の電子装置の動作方法。
【請求項１０】
前記第１メッセージを作成するために現在の状況を判断するステップは、
備えられた少なくとも１つのセンサから勾配の変化及び空間的動きを感知するステップと、
前記感知した勾配の変化及び空間的動きが予め設定された勾配及び予め設定された空間座標を離れたかを確認するステップと、を含むことを特徴とする請求項６に記載の電子装置の動作方法。
【請求項１１】
前記判断した現在の状況を反映して前記第１メッセージを作成するステップは、
前記第１メッセージに予め設定された地域から離れた場所に位置しているという内容のメッセージを作成することを特徴とする請求項６に記載の電子装置の動作方法。
【請求項１２】
前記判断した現在の状況を反映して前記第１メッセージを作成するステップは、
前記第１メッセージに予め設定された時間が経過したという内容のメッセージを作成することを特徴とする請求項６に記載の電子装置の動作方法。
【請求項１３】
前記判断した現在の状況を反映して前記第１メッセージを作成するステップは、
時間範囲による予め設定された内容を確認するステップと、
前記第１メッセージに前記時間範囲による前記設定された内容のうちの現在の時間範囲に該当する内容のメッセージを作成するステップと、を含むことを特徴とする請求項６に記載の電子装置の動作方法。
【請求項１４】
前記判断した現在の状況を反映して前記第１メッセージを作成するステップは、
前記第１メッセージに運動中という内容のメッセージを作成することを特徴とする請求項６に記載の電子装置の動作方法。
【請求項１５】
前記メッセージを発信した電子装置の連絡先が前記設定された連絡先の場合、前記設定された自動応答メッセージ状態を反映して前記メッセージを発信した電子装置に自動応答メッセージを送信するステップは、
前記設定された自動応答メッセージ状態を確認するステップと、
前記確認された自動応答メッセージ状態が第２メッセージを送信するように設定されている場合、前記第２メッセージを呼び出すステップと、
前記呼び出された第２メッセージを、前記メッセージを発信した電子装置に送信するステップと、を含むことを特徴とする請求項１に記載の電子装置の動作方法。
【請求項１６】
現在状態に基づき応答メッセージを送信する電子装置であって、
受信したメッセージを予め設定された時間内に確認したか否かを判断し、前記受信したメッセージを前記設定された時間内に確認していない場合、前記メッセージを発信した電子装置の連絡先が予め設定された連絡先であるか否かを判断するプロセッサユニットと、
前記メッセージを発信した電子装置の連絡先が前記設定された連絡先の場合、予め設定された自動応答メッセージ状態を反映して前記メッセージを発信した電子装置に自動応答メッセージを送信する通信モジュールと、を備えることを特徴とする電子装置。
【請求項１７】
前記プロセッサユニットは、電源が入っているか否かを判断し、
前記通信モジュールは、前記電源が入っていない場合、該電源が入った後、累積された少なくとも１つのメッセージを受信することを特徴とする請求項１６に記載の電子装置。
【請求項１８】
前記プロセッサユニットは、前記電源が入っている場合、動作中のモード状態が節電モードに設定されているか否かを判断し、
前記通信モジュールは、前記動作中のモード状態が前記節電モードに設定されている場合、該節電モード状態が一般モード状態に切り替えられた後、累積された少なくとも１つのメッセージを受信することを特徴とする請求項１７に記載の電子装置。
【請求項１９】
前記プロセッサユニットは、前記電源が入っている場合、動作中のモード状態が節電モードに設定されているか否かを判断し、
前記通信モジュールは、前記動作中のモード状態が前記節電モードに設定されていない場合、メッセージを受信することを特徴とする請求項１７に記載の電子装置。
【請求項２０】
前記プロセッサユニットは、前記受信したメッセージを前記設定された時間内に確認した場合、前記設定された時間内に前記メッセージを発信した電子装置に前記受信したメッセージに対する応答メッセージを送信したか否かを判断し、前記設定された時間内に前記メッセージを発信した電子装置に前記受信したメッセージに対する応答メッセージが送信されたかを確認することを特徴とする請求項１６に記載の電子装置。
【請求項２１】
前記プロセッサユニットは、前記設定された自動応答メッセージ状態を確認し、前記確認された自動応答メッセージ状態が第１メッセージを送信するように設定されている場合、前記第１メッセージを作成するために現在の状況を判断し、前記判断した現在の状況を反映して前記第１メッセージを作成し、
前記通信モジュールは、前記メッセージを発信した電子装置に前記作成された第１メッセージを送信することを特徴とする請求項１６に記載の電子装置。
【請求項２２】
前記通信モジュールは、ＧＰＳ衛星及び基地局のうちの少なくとも１つから現在の位置情報を受信し、
前記プロセッサユニットは、前記現在の位置情報を受信した結果、予め設定された地域から離れた場所に位置しているかを確認することを特徴とする請求項２１に記載の電子装置。
【請求項２３】
前記通信モジュールは、ＧＰＳ衛星及び基地局のうちの少なくとも１つから現在の時刻情報を受信し、
前記プロセッサユニットは、前記現在の時刻情報を受信した結果、予め設定された時間が経過したかを確認することを特徴とする請求項２１に記載の電子装置。
【請求項２４】
前記通信モジュールは、ＧＰＳ衛星及び基地局のうちの少なくとも１つから現在の時刻情報を受信し、
前記プロセッサユニットは、前記現在の時刻情報を受信した結果、予め設定された時間範囲内にいるかを確認することを特徴とする請求項２１に記載の電子装置。
【請求項２５】
前記プロセッサユニットは、備えられた少なくとも１つのセンサから勾配の変化及び空間的動きを感知し、前記感知した勾配の変化及び空間的動きが予め設定された勾配及び予め設定された空間座標を離れたかを確認することを特徴とする請求項２１に記載の電子装置。
【請求項２６】
前記プロセッサユニットは、前記第１メッセージに予め設定された地域から離れた場所に位置しているという内容のメッセージを作成することを特徴とする請求項２１に記載の電子装置。
【請求項２７】
前記プロセッサユニットは、前記第１メッセージに予め設定された時間が経過したという内容のメッセージを作成することを特徴とする請求項２１に記載の電子装置。
【請求項２８】
前記プロセッサユニットは、時間範囲による予め設定された内容を確認し、前記第１メッセージに前記時間範囲による前記設定された内容のうちの現在の時間範囲に該当する内容のメッセージを作成することを特徴とする請求項２１に記載の電子装置。
【請求項２９】
前記プロセッサユニットは、前記第１メッセージに運動中という内容のメッセージを作成することを特徴とする請求項２１に記載の電子装置。
【請求項３０】
前記プロセッサユニットは、前記設定された自動応答メッセージ状態を確認し、前記確認された自動応答メッセージ状態が第２メッセージを送信するように設定されている場合、前記第２メッセージを呼び出し、
前記通信モジュールは、前記呼び出された第２メッセージを、前記メッセージを発信した電子装置に送信することを特徴とする請求項１６に記載の電子装置。
【発明の詳細な説明】
【技術分野】
【０００１】
本発明は、自動応答メッセージを送信する電子装置及びその動作方法に関する。
【背景技術】
【０００２】
発信者が受信者に通話を試みる時、受信者の電子装置の電源が入っているか又は受信者の電子装置が節電モード状態にある場合、発信者は関連内容を確認することができた。
【０００３】
しかし、発信者が受信者にメッセージを送信した後、発信者は自らが送信したメッセージを受信者が確認したか否かのみを確認することができたが、具体的に受信者の状況を確認することはできなかった。例えば、受信者がメッセージを確認していないか又はメッセージを確認した場合であっても周りの状況や業務状況などによってメッセージを作成できない場合が時々あった。この場合、発信者は受信者がどのような状況のために応答メッセージを受信できないのかがわからずそれまでの信頼関係が崩れかねない問題点があった。
【０００４】
従って、メッセージを受信した電子装置は、メッセージを送信した電子装置の連絡先が予め設定された連絡先であると判断した場合、自動的にユーザの状況を判断して、メッセージを送信した電子装置に関連応答メッセージを自動的に送信できる方法の提案が急務な実情である。
【先行技術文献】
【特許文献】
【０００５】
【特許文献１】韓国特許出願公開第１０−２００６−００９９７８３号明細書
【発明の概要】
【発明が解決しようとする課題】
【０００６】
本発明は、上記従来の問題点に鑑みてなされたものであって、本発明の目的は、メッセージを受信して予め設定された時間内にメッセージを確認していないか、又はメッセージを確認した後、予め設定された時間内に応答メッセージを発信していない場合、自動的に応答メッセージを発信する電子装置及びその動作方法を提供することにある。
また、本発明の目的は、メッセージを送信した電子装置の連絡先が予め設定された連絡先であると確認された場合にのみ自動的に応答メッセージを発信してユーザのプライバシーを保護する装置及び方法を提供することにある。
また、本発明の目的は、現在の状況を自動的に把握してユーザの現在の状況を具体的に反映したメッセージを作成して送信する電子装置及びその動作方法を提供することにある。
【課題を解決するための手段】
【０００７】
上記目的を達成するためになされた本発明の一特徴による現在状態に基づき応答メッセージを送信する電子装置の動作方法は、受信したメッセージを予め設定された時間内に確認したか否かを判断するステップと、前記受信したメッセージを前記設定された時間内に確認していない場合、前記メッセージを発信した電子装置の連絡先が予め設定された連絡先であるか否かを判断するステップと、前記メッセージを発信した電子装置の連絡先が前記設定された連絡先の場合、予め設定された自動応答メッセージ状態を反映して前記メッセージを発信した電子装置に自動応答メッセージを送信するステップと、を有する。
【０００８】
前記電子装置の動作方法は、電源が入っているか否かを判断するステップと、前記電源が入っていない場合、該電源が入った後、累積された少なくとも１つのメッセージを受信するステップと、を更に含むことができる。
前記電子装置の動作方法は、前記電源が入っている場合、動作中のモード状態が節電モードに設定されているか否かを判断するステップと、前記動作中のモード状態が前記節電モードに設定されている場合、該節電モード状態が一般モード状態に切り替えられた後、累積された少なくとも１つのメッセージを受信するステップと、を更に含むことができる。
前記電子装置の動作方法は、前記電源が入っている場合、動作中のモード状態が節電モードに設定されているか否かを判断するステップと、前記動作中のモード状態が前記節電モードに設定されていない場合、メッセージを受信するステップと、を更に含むことができる。
前記電子装置の動作方法は、前記受信したメッセージを前記設定された時間内に確認した場合、前記設定された時間内に前記メッセージを発信した電子装置に前記受信したメッセージに対する応答メッセージを送信したか否かを判断するステップと、前記設定された時間内に前記メッセージを発信した電子装置に前記受信したメッセージに対する応答メッセージが送信されたかを確認するステップと、を更に含むことができる。
前記メッセージを発信した電子装置の連絡先が前記設定された連絡先の場合、前記設定された自動応答メッセージ状態を反映して前記メッセージを発信した電子装置に自動応答メッセージを送信するステップは、前記設定された自動応答メッセージ状態を確認するステップと、前記確認された自動応答メッセージ状態が第１メッセージを送信するように設定されている場合、前記第１メッセージを作成するために現在の状況を判断するステップと、前記判断した現在の状況を反映して前記第１メッセージを作成するステップと、前記メッセージを発信した電子装置に前記作成された第１メッセージを送信するステップと、を含み得る。
前記第１メッセージを作成するために現在の状況を判断するステップは、ＧＰＳ衛星及び基地局のうちの少なくとも１つから現在の位置情報を受信するステップと、前記現在の位置情報を受信した結果、予め設定された地域から離れた場所に位置しているかを確認するステップと、を含み得る。
前記第１メッセージを作成するために現在の状況を判断するステップは、
ＧＰＳ衛星及び基地局のうちの少なくとも１つから現在の時刻情報を受信するステップと、前記現在の時刻情報を受信した結果、予め設定された時間が経過したかを確認するステップと、を含み得る。
前記第１メッセージを作成するために現在の状況を判断するステップは、ＧＰＳ衛星及び基地局のうちの少なくとも１つから現在の時刻情報を受信するステップと、前記現在の時刻情報を受信した結果、予め設定された時間範囲内にいるかを確認するステップと、を含み得る。
前記第１メッセージを作成するために現在の状況を判断するステップは、備えられた少なくとも１つのセンサから勾配の変化及び空間的動きを感知するステップと、前記感知した勾配の変化及び空間的動きが予め設定された勾配及び予め設定された空間座標を離れたかを確認するステップと、を含み得る。
前記判断した現在の状況を反映して前記第１メッセージを作成するステップは、前記第１メッセージに予め設定された地域から離れた場所に位置しているという内容のメッセージを作成し得る。
前記判断した現在の状況を反映して前記第１メッセージを作成するステップは、前記第１メッセージに予め設定された時間が経過したという内容のメッセージを作成し得る。
前記判断した現在の状況を反映して前記第１メッセージを作成するステップは、時間範囲による予め設定された内容を確認するステップと、前記第１メッセージに前記時間範囲による前記設定された内容のうちの現在の時間範囲に該当する内容のメッセージを作成し得る。
前記判断した現在の状況を反映して前記第１メッセージを作成するステップは、前記第１メッセージに運動中という内容のメッセージを作成し得る。
前記メッセージを発信した電子装置の連絡先が前記設定された連絡先の場合、前記設定された自動応答メッセージ状態を反映して前記メッセージを発信した電子装置に自動応答メッセージを送信するステップは、前記設定された自動応答メッセージ状態を確認するステップと、前記確認された自動応答メッセージ状態が第２メッセージを送信するように設定されている場合、前記第２メッセージを呼び出すステップと、前記呼び出された第２メッセージを、前記メッセージを発信した電子装置に送信するステップと、を含み得る。
【０００９】
上記目的を達成するためになされた本発明の一特徴による現在状態に基づき応答メッセージを送信する電子装置は、受信したメッセージを予め設定された時間内に確認したか否かを判断し、前記受信したメッセージを前記設定された時間内に確認していない場合、前記メッセージを発信した電子装置の連絡先が予め設定された連絡先であるか否かを判断するプロセッサユニットと、前記メッセージを発信した電子装置の連絡先が前記設定された連絡先の場合、予め設定された自動応答メッセージ状態を反映して前記メッセージを発信した電子装置に自動応答メッセージを送信する通信モジュールと、を備える。
【００１０】
前記プロセッサユニットは、電源が入っているか否かを判断し、前記通信モジュールは、前記電源が入っていない場合、該電源が入った後、累積された少なくとも１つのメッセージを受信し得る。
前記プロセッサユニットは、前記電源が入っている場合、動作中のモード状態が節電モードに設定されているか否かを判断し、前記通信モジュールは、前記動作中のモード状態が前記節電モードに設定されている場合、該節電モード状態が一般モード状態に切り替えられた後、累積された少なくとも１つのメッセージを受信し得る。
前記プロセッサユニットは、前記電源が入っている場合、動作中のモード状態が節電モードに設定されているか否かを判断し、前記通信モジュールは、前記動作中のモード状態が前記節電モードに設定されていない場合、メッセージを受信し得る。
前記プロセッサユニットは、前記受信したメッセージを前記設定された時間内に確認した場合、前記設定された時間内に前記メッセージを発信した電子装置に前記受信したメッセージに対する応答メッセージを送信したか否かを判断し、前記設定された時間内に前記メッセージを発信した電子装置に前記受信したメッセージに対する応答メッセージが送信されたかを確認し得る。
前記プロセッサユニットは、前記設定された自動応答メッセージ状態を確認し、前記確認された自動応答メッセージ状態が第１メッセージを送信するように設定されている場合、前記第１メッセージを作成するために現在の状況を判断し、前記判断した現在の状況を反映して前記第１メッセージを作成し、前記通信モジュールは、前記メッセージを発信した電子装置に前記作成された第１メッセージを送信し得る。
前記通信モジュールは、ＧＰＳ衛星及び基地局のうちの少なくとも１つから現在の位置情報を受信し、前記プロセッサユニットは、前記現在の位置情報を受信した結果、予め設定された地域から離れた場所に位置しているかを確認し得る。
前記通信モジュールは、ＧＰＳ衛星及び基地局のうちの少なくとも１つから現在の時刻情報を受信し、前記プロセッサユニットは、前記現在の時刻情報を受信した結果、予め設定された時間が経過したかを確認し得る。
前記通信モジュールは、ＧＰＳ衛星及び基地局のうちの少なくとも１つから現在の時刻情報を受信し、前記プロセッサユニットは、前記現在の時刻情報を受信した結果、予め設定された時間範囲内にいるかを確認し得る。
前記プロセッサユニットは、備えられた少なくとも１つのセンサから勾配の変化及び空間的動きを感知し、前記感知した勾配の変化及び空間的動きが予め設定された勾配及び予め設定された空間座標を離れたかを確認し得る。
前記プロセッサユニットは、前記第１メッセージに予め設定された地域から離れた場所に位置しているという内容のメッセージを作成し得る。
前記プロセッサユニットは、前記第１メッセージに予め設定された時間が経過したという内容のメッセージを作成し得る。
前記プロセッサユニットは、時間範囲による予め設定された内容を確認し、前記第１メッセージに前記時間範囲による前記設定された内容のうちの現在の時間範囲に該当する内容のメッセージを作成し得る。
前記プロセッサユニットは、前記第１メッセージに運動中という内容のメッセージを作成し得る。
前記プロセッサユニットは、前記設定された自動応答メッセージ状態を確認し、前記確認された自動応答メッセージ状態が第２メッセージを送信するように設定されている場合、前記第２メッセージを呼び出し、前記通信モジュールは、前記呼び出された第２メッセージを、前記メッセージを発信した電子装置に送信し得る。
【図面の簡単な説明】
【００１１】
【図１】本発明の一実施形態による現在状態に基づき応答メッセージを送信する電子装置を全体的に説明するための図である。
【図２】本発明による電子装置の電源が切れている場合、その後電源が入った後、累積された少なくとも１つのメッセージを受信する一実施形態を示した図である。
【図３】本発明による電子装置のモード状態が節電モード状態から一般モード状態に切り替えられた後、累積された少なくとも１つのメッセージを受信する一実施形態を示した図である。
【図４】本発明による連絡先を設定する一実施形態を示した図である。
【図５】本発明による自動応答メッセージ状態を設定する一実施形態を示した図である。
【図６】本発明による電子装置の実質的な状況を反映した第１メッセージを作成して自動応答メッセージを送信する一実施形態を示した図である。
【図７】本発明による電子装置の実質的な状況を反映した第１メッセージを作成して自動応答メッセージを送信する更に他の実施形態を示した図である。
【図８】本発明による電子装置の実質的な状況を反映した第１メッセージを作成して自動応答メッセージを送信する更に他の実施形態を示した図である。
【図９】本発明による保存された第２メッセージを呼び出して自動応答メッセージを送信する一実施形態を示した図である。
【図１０】本発明の一実施形態による電子装置の動作手順を示したフローチャートである。
【図１１】（ａ）は本発明の一実施形態による現在状態に基づき応答メッセージを送信する電子装置の動作方法のフローチャートであり、（ｂ）は本発明の一実施形態による現在状態に基づき応答メッセージを送信する電子装置の構成を示した図である。
【図１２】本発明の一実施形態による電子装置の構成を示したブロック図である。
【発明を実施するための形態】
【００１２】
以下、本発明を実施するための形態の具体例を、図面を参照しながら詳細に説明する。本発明を説明するに当たって、関連する公知機能又は構成に対する具体的な説明が本発明の要旨を不要に不明確にするおそれがあると判断される場合、その詳細な説明は省略する。そして、後述する用語は、本発明における機能を考慮して定義した用語であって、これは、ユーザ、運用者の意図又は慣例などによって異なることがある。従って、その定義は本明細書全般に亘る内容に基づいて行われるべきである。
【００１３】
図１は、本発明の一実施形態による現在状態に基づき応答メッセージを送信する電子装置を全体的に説明するための図である。先ず、図１（ａ）に示したように、本実施形態による電子装置は、任意の電子装置からメッセージを受信した場合、受信したメッセージを予め設定された時間内に確認したか否かを判断する。より具体的に、電子装置は、任意の電子装置から受信したメッセージを予め設定された時間内に確認したか否かを判断する。例えば、電子装置でメッセージを確認したか否かを判断する予め設定された時間を１５分と仮定する。この仮定で、電子装置が任意の電子装置から少なくとも１つのメッセージを受信した後、電子装置は、予め設定された時間である１５分以内に受信した少なくとも１つのメッセージを確認したか否かを判断する。
【００１４】
また、図１（ｂ）に示したように、本実施形態による電子装置で受信した少なくとも１つのメッセージを予め設定された時間内に確認した場合、電子装置は、予め設定された時間内にメッセージを発信した電子装置に応答メッセージを送信したか否かを判断する。例えば、電子装置で受信した少なくとも１つのメッセージを確認したか否かを判断する時間を１０分と仮定する。また、電子装置がメッセージを確認した後、メッセージを発信した電子装置に応答メッセージを送信したか否かを判断する時間を１５分と仮定する。この仮定で、電子装置が任意の電子装置からメッセージを受信した後、電子装置で予め設定された時間である１０分以内に受信したメッセージを確認したと仮定する。その後、電子装置は、予め設定された時間である１５分以内にメッセージを発信した電子装置に応答メッセージを送信したか否かを判断する。
【００１５】
電子装置でメッセージを受信した後、予め設定された時間である１０分以内に受信したメッセージを確認していないか又は受信したメッセージを確認してはいるが予め設定された時間である１５分以内に応答メッセージを送信していない場合、電子装置は、メッセージを発信した任意の電子装置の連絡先が予め設定された連絡先であるか否かを判断する。ここで、予め設定された連絡先は、電子装置に保存された少なくとも１つの連絡先、電子装置に保存された少なくとも１つの連絡先のうちの入力された少なくとも１つの連絡先、電子装置にスパム連絡先として登録された連絡先を除く少なくとも１つの連絡先、及び任意の局番から始まる少なくとも１つの連絡先のうちの少なくとも１つの連絡先などが定義される。例えば、電子装置には１００個の連絡先が保存されているが、保存された１００個の連絡先のうちのスパム連絡先として登録された連絡先は１０個であり、０１の局番から始まる連絡先は１５個、０２の局番から始まる連絡先は１０個、そして０３の局番から始まる連絡先は３０個と仮定する。この仮定で、電子装置は、保存された１００個の連絡先が全て予め設定された連絡先として入力され得、保存された１００個の連絡先のうちのスパム連絡先として登録された１０個の連絡先を除く９０個の連絡先が予め設定された連絡先として入力され得る。また、電子装置は、保存された１００個の連絡先のうちの０１局番及び０２局番から始まる連絡先である２５個の連絡先が予め設定された連絡先として入力され得、スパム連絡先及び０１〜０３局番から始まる連絡先を除く３５個の連絡先が予め設定された連絡先として入力され得る。即ち、電子装置は、保存された少なくとも１つの連絡先のうちの少なくとも１つの連絡先が予め設定された連絡先として入力され得る。その後、電子装置でメッセージを発信した電子装置の連絡先が予め設定された連絡先であると判断した場合、電子装置は、予め設定された自動応答メッセージ状態を反映してメッセージを発信した電子装置に自動応答メッセージを送信する。ここで、自動応答メッセージ状態とは、第１メッセージを自動的に送信するように設定されている状態及び第２メッセージを自動的に送信するように設定されている状態のうちのいずれか１つの状態として定義する。
【００１６】
先ず、電子装置で自動応答メッセージ状態が第２メッセージを自動的に送信するように設定されている場合を詳しく述べる。図１（ｃ）に示したように、電子装置でメッセージを発信した電子装置の連絡先が予め設定された連絡先であることを確認した場合、電子装置は、予め設定された自動応答メッセージ状態を確認した後、確認された自動応答メッセージ状態が第２メッセージを送信するように設定されていることを確認する。その後、電子装置は、設定されている第２メッセージを呼び出し、メッセージを発信した任意の電子装置に呼び出された第２メッセージを送信する。例えば、電子装置に設定された第２メッセージが「今は応答メッセージを送信できない状態です。」に設定されている場合、電子装置は、第２メッセージを呼び出してメッセージを発信した電子装置に呼び出した第２メッセージを自動的に送信する。即ち、第２メッセージは、電子装置の現在の状況が反映されていない一般的な状態メッセージとして定義される。従って、ユーザは、ユーザの具体的な状況が反映された応答メッセージを自動的に送信することを望まない場合、自動応答メッセージとして第２メッセージを送信するように設定し、電子装置は、メッセージを発信した電子装置に自動応答メッセージを送信する。
【００１７】
次に、電子装置で自動応答メッセージ状態が第１メッセージを自動的に送信するように設定されている場合を詳しく述べる。図１（ｄ）に示したように、電子装置で任意の電子装置からメッセージを受信した場合、電子装置は、予め設定された時間内に電子装置で受信したメッセージを確認したか否かを判断する。電子装置で受信したメッセージを予め設定された時間内に確認していないか又は受信したメッセージを確認してはいるが予め設定された時間内に応答メッセージを送信していない場合、電子装置は、メッセージを発信した電子装置の連絡先が予め設定された連絡先であるか否かを判断する。電子装置で判断した結果、メッセージを発信した電子装置の連絡先が予め設定された連絡先であると確認された場合、電子装置は、電子装置の実質的な状況が反映された第１メッセージを作成するために電子装置の現在の状況を判断する。その後、電子装置は、判断された電子装置の現在の状況を反映した第１メッセージを作成し、メッセージを発信した電子装置に作成された第１メッセージを送信する。例えば、電子装置がＧＰＳ衛星及び基地局のうちの少なくとも１つから電子装置の現在の位置情報を受信した結果、現在の電子装置が予め設定された地域から離れた場所であるアメリカに位置していることが確認された場合、電子装置は、「現在、お掛けになった電話の持ち主はアメリカに主張中です」のような第１メッセージを作成する。即ち、第１メッセージは、電子装置の現在の状況が反映されたメッセージとして定義される。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを発信した電子装置に送信する。
【００１８】
従来の電子装置で任意の電子装置にメッセージを送信した場合、メッセージを発信した電子装置ではメッセージを受信した電子装置で受信したメッセージを確認したか否かのみを知ることができ、具体的に受信者の状況を確認することはできなかった。例えば、受信者がメッセージを確認していないか又はメッセージを確認した場合であっても、周りの状況や業務状況などによってメッセージを作成できない場合が時々あった。この場合、発信者は受信者がどのような状況のために応答メッセージを受信できないのかがわからずそれまでの信頼関係が崩れかねない問題点があった。しかし、本発明による電子装置では、メッセージを受信して予め設定された時間内にメッセージを確認していないか、又はメッセージを確認した後、予め設定された時間内に応答メッセージを発信していない場合、自動的に応答メッセージを発信することができるため、ユーザの便宜性を向上させる長所がある。より具体的に、本発明による電子装置は、メッセージを発信した電子装置の連絡先が予め設定された連絡先であると確認された場合にのみ自動的に応答メッセージを送信してユーザのプライバシーが保護される長所がある。その上、本発明による電子装置では、ユーザの現在の状況を自動的に把握してユーザの現在の状況を具体的に反映したメッセージを作成してメッセージを発信した電子装置に自動的に応答メッセージを送信できる長所がある。
【００１９】
図２は、本発明による電子装置の電源が切れている場合、その後電源が入った後、累積された少なくとも１つのメッセージを受信する一実施形態を示した図である。先ず、図２（ａ）及び（ｂ）に示したように、本実施形態による電子装置は、電源が切れて（ｏｆｆ）いる場合でも、電子装置の電源が入った（ｏｎ）後、累積されたメッセージを受信することができる。より具体的に、電子装置の電源が切れている場合、電子装置は、メッセージを受信できない状態のままであるが、電子装置の電源が入った後、累積された少なくとも１つのメッセージを受信する。例えば、「Ａ電子装置」が「Ｂ電子装置」に任意のメッセージを送信する時、「Ｂ電子装置」の電源が切れている場合、「Ｂ電子装置」は、「Ａ電子装置」が送信した任意のメッセージを受信することができない。その後、「Ｂ電子装置」の電源が入った場合、「Ｂ電子装置」は、「Ａ電子装置」が送信した累積された任意のメッセージを受信する。
【００２０】
任意の電子装置からメッセージを受信した電子装置は、受信したメッセージを予め設定された時間内に確認したか否かを判断する。より具体的に、電子装置は、任意の電子装置から受信した少なくとも１つのメッセージを予め設定された時間内に確認したか否かを判断する。例えば、電子装置でメッセージを確認したか否かを判断する予め設定された時間が５分と仮定する。この仮定で、電子装置が任意の電子装置から少なくとも１つのメッセージを受信した後、予め設定された時間である５分以内に受信した少なくとも１つのメッセージを確認したか否かを判断する。図２（ｂ）に示したように、電子装置で受信した少なくとも１つのメッセージを予め設定された時間内に確認した場合、予め設定された時間内にメッセージを送信した電子装置に応答メッセージを送信したか否かを判断する。例えば、電子装置で受信した少なくとも１つのメッセージを確認したか否かを判断する時間が５分であり、電子装置がメッセージを確認した後、メッセージを送信した電子装置に応答メッセージを送信したか否かを判断する時間が１０分と仮定する。この仮定で、電子装置は、任意の電子装置からメッセージを受信した後、予め設定された時間である５分以内に受信したメッセージを確認したと仮定する。その後、電子装置は、予め設定された時間である１０分以内にメッセージを送信した電子装置に応答メッセージを送信したか否かを判断する。
【００２１】
電子装置でメッセージを受信した後、予め設定された時間である５分以内に受信したメッセージを確認していないか又は受信したメッセージを確認してはいるが予め設定された時間である１０分以内に応答メッセージを送信していないと判断した場合、電子装置は、メッセージを発信した任意の電子装置の連絡先が予め設定された連絡先であるか否かを判断する。例えば、図２（ｃ）に示したように、電子装置で電源を入れた後、累積された３個のメッセージを受信したと仮定する。また、電子装置は、受信した３個のメッセージを確認し、電子装置に保存された全ての連絡先が予め設定された連絡先として入力されたと仮定する。この仮定で、電子装置で最初に受信したメッセージ２０１は電子装置に予め設定された連絡先として入力されているため、電子装置は、Ｂの連絡先を表示せずに保存されたＢの名前を表示する。同様に、電子装置で最後に受信したメッセージ２０３も電子装置に予め設定された連絡先として入力されているため、電子装置は、Ａの連絡先を表示せずに保存されたＡの名前を表示する。しかし、電子装置で２番目に受信したメッセージ２０２は電子装置に予め設定された連絡先として入力されていなかったため、電子装置は、メッセージを発信した電子装置の連絡先（０１２−３４５６−７８９０）をそのまま表示する。
【００２２】
その後、電子装置は、メッセージを送信した電子装置の連絡先が予め設定された連絡先であると判断した場合、予め設定された自動応答メッセージ状態を反映してメッセージを送信した電子装置に自動応答メッセージを送信する。上述した例で、電子装置が最初に受信したメッセージ２０１と最後に受信したメッセージ２０３は電子装置に予め設定された連絡先として入力されているため、電子装置は、予め設定された自動応答メッセージ状態を反映してＡの電子装置及びＢの電子装置に自動応答メッセージを送信する。しかし、電子装置が２番目に受信したメッセージ２０２は電子装置に予め設定された連絡先として入力されていなかったため、電子装置は、電子装置で受信したメッセージを予め設定された時間内に確認したか否かに拘らずメッセージを発信した電子装置に自動応答メッセージを送信しない。
【００２３】
即ち、本発明による電子装置では、メッセージを受信して予め設定された時間内にメッセージを確認していないか、又はメッセージを確認した後、予め設定された時間内に応答メッセージを送信していない場合、自動的に応答メッセージを発信するため、ユーザの便宜性を向上させる長所がある。より具体的に、本発明による電子装置は、メッセージを発信した電子装置の連絡先が予め設定された連絡先であると確認された場合にのみ自動的に応答メッセージを送信するため、ユーザのプライバシーが保護される長所がある。また、電子装置に入力された予め設定された連絡先を使用する人々はユーザと親密な関係にある人々であるため、電子装置のユーザが即座にメッセージを送信できない状況であっても自動応答メッセージを送信することができ信頼関係を維持させる長所がある。
【００２４】
図３は、本発明による電子装置のモード状態が節電モード状態から一般モード状態に切り替えられた後、累積された少なくとも１つのメッセージを受信する一実施形態を示した図である。先ず、図３（ａ）及び（ｂ）に示したように、電子装置の電源が入っている場合、電子装置は、動作中のモード状態が節電モード状態に設定されているか否かを判断する。電子装置で動作中のモード状態が節電モードに設定されている場合、電子装置は、節電モード状態が一般モード状態に切り替えられた後、累積された少なくとも１つのメッセージを受信する。ここで、節電モード状態とは、電子装置の電源は入っているが、現在の電子装置でメッセージを受信できないモード状態であると定義する。例えば、電子装置の動作中のモード状態が「機内モード（ａｉｒｐｌａｎｅ）」に設定された場合、電子装置は、電源が入っているが「機内モード」状態が一般モード状態に切り替えられるまでは受信したメッセージを即座に確認することができない。その後、電子装置で動作中のモード状態が節電モード状態から一般モード状態に切り替えられた場合、電子装置は、節電モード状態で受信することができなかった累積された少なくとも１つのメッセージを受信する。
【００２５】
任意の電子装置からメッセージを受信した電子装置は、受信したメッセージを予め設定された時間内に確認したか否かを判断する。より具体的に、電子装置は、任意の電子装置から受信した少なくとも１つのメッセージを予め設定された時間内に確認したか否かを判断する。例えば、電子装置でメッセージを確認したか否かを判断する予め設定された時間が１５分と仮定する。この仮定で、電子装置が任意の電子装置から少なくとも１つのメッセージを受信した後、予め設定された時間である１５分以内に受信した少なくとも１つのメッセージを確認したか否かを判断する。図３（ｂ）に示したように、電子装置で受信した少なくとも１つのメッセージを予め設定された時間内に確認した場合、電子装置は、予め設定された時間内にメッセージを発信した電子装置に応答メッセージを送信したか否かを判断する。例えば、電子装置で受信した少なくとも１つのメッセージを確認したか否かを判断する時間が１５分であり、電子装置がメッセージを確認した後、メッセージを発信した電子装置に応答メッセージを送信したか否かを判断する時間が５分と仮定する。この仮定で、電子装置は、任意の電子装置からメッセージを受信した後、予め設定された時間である１５分以内に受信したメッセージを確認したと仮定する。その後、電子装置は、予め設定された時間である５分以内にメッセージを発信した電子装置に応答メッセージを送信したか否かを判断する。
【００２６】
電子装置でメッセージを受信した後、予め設定された時間である１５分以内に受信したメッセージを確認していないか又は受信したメッセージを確認してはいるが予め設定された時間である５分以内に応答メッセージを送信していないと判断した場合、電子装置は、メッセージを送信した任意の電子装置の連絡先が予め設定された連絡先であるか否かを判断する。例えば、図３（ｃ）に示したように、電子装置で節電モード状態から一般モード状態にモード状態が切り替えられた後、累積された３個のメッセージを受信したと仮定する。また、電子装置は、受信した３個のメッセージを確認し、電子装置に保存された全ての連絡先が予め設定された連絡先として入力されたと仮定する。この仮定で、電子装置で最初に受信したメッセージ３０１は電子装置に予め設定された連絡先として入力されているため、電子装置は、Ｂの連絡先を表示せずに保存されたＢの名前を表示する。同様に、電子装置で２番目に受信したメッセージ３０２も電子装置に予め設定された連絡先として入力されているため、電子装置は、Ａの連絡先を表示せずに保存されたＡの名前を表示する。しかし、電子装置で最後に受信したメッセージ３０３は電子装置に予め設定された連絡先として入力されていなかったため、電子装置は、メッセージを送信した電子装置の連絡先（０１２−３４５−６７８９）をそのまま表示する。
【００２７】
その後、電子装置でメッセージを発信した電子装置の連絡先が予め設定された連絡先であると判断した場合、電子装置は、予め設定された自動応答メッセージ状態を反映してメッセージを発信した電子装置に自動応答メッセージを送信する。上述した例で、電子装置が最初に受信したメッセージ３０１と２番目に受信したメッセージ３０２は電子装置に予め設定された連絡先として入力されているため、電子装置は、予め設定された自動応答メッセージ状態を反映してＡの電子装置及びＢの電子装置に自動応答メッセージを送信する。しかし、電子装置が最後に受信したメッセージ３０３は電子装置に予め設定された連絡先として入力されていなかったため、電子装置は、電子装置で受信したメッセージを予め設定された時間内に確認したか否かに拘らずメッセージを発信した電子装置に自動応答メッセージを送信しない。
【００２８】
即ち、本発明による電子装置では、メッセージを受信して予め設定された時間内にメッセージを確認していないか、又はメッセージを確認した後、予め設定された時間内に応答メッセージを送信していない場合、自動的に応答メッセージを送信するため、ユーザの便宜性を向上させる長所がある。より具体的に、本発明による電子装置は、メッセージを発信した電子装置の連絡先が予め設定された連絡先であると確認された場合にのみ自動的に応答メッセージを送信するため、ユーザのプライバシーが保護される長所がある。また、電子装置に入力された予め設定された連絡先を使用する人々はユーザと親密な関係にある人々であるため、電子装置のユーザが即座にメッセージを送信できない状況であっても自動応答メッセージを送信することができ信頼関係を維持させる長所がある。
【００２９】
図４は、本発明による連絡先を設定する一実施形態を示した図である。本発明における予め設定された連絡先は、電子装置に保存された少なくとも１つの連絡先、電子装置に保存された少なくとも１つの連絡先のうちの入力された少なくとも１つの連絡先、電子装置にスパム連絡先として登録された連絡先を除く少なくとも１つの連絡先、及び任意の局番から始まる少なくとも１つの連絡先のうちの少なくとも１つの連絡先などが定義される。以下、上述した例をより具体的に説明するが、予め設定された連絡先は本実施形態に限定されるものではなく、様々に設定され得ることは勿論である。
【００３０】
先ず、図４（ａ）に示したように、電子装置は、自動的に応答メッセージを送信する連絡先が選択される。より具体的に、電子装置は、電子装置に保存された全ての連絡先が自動的に応答メッセージを送信する連絡先として選択され得る。例えば、電子装置を使用するユーザの職業は様々な分野の職業を持つ人々を管理する販売員であり、電子装置には１５００個の連絡先が保存されていると仮定する。この仮定で、電子装置に保存された全ての連絡先の人々の質問事項や要求事項に即座に対応しなければならないユーザは、電子装置に保存された全ての連絡先を予め設定された連絡先として入力できる。即ち、本発明による電子装置は、電子装置に保存された全ての連絡先が予め設定された連絡先として入力され、電子装置が予め設定された時間内に受信したメッセージを確認していないか又はメッセージを確認してはいるが予め設定された時間内に応答メッセージを送信していない場合、予め設定された自動応答メッセージ状態を反映してメッセージを発信した電子装置に自動応答メッセージを送信する。従って、本発明の電子装置は、人との基本的な信頼関係を維持させるだけでなく、上述した例のように職業の特性上即座に応答メッセージを送信しなければならない場合、有用に使用される長所がある。
【００３１】
図４（ｂ）に示したように、電子装置は、自動的に応答メッセージを送信する連絡先が受動的に選択される。より具体的に、電子装置は、電子装置に保存された全ての連絡先のうちの少なくとも１つの連絡先が選択される。例えば、電子装置を使用するユーザの職業は学生であり、電子装置には１００個の連絡先が保存されていると仮定する。この仮定で、電子装置を使用するユーザの職業は学生の身分であるから、ユーザが授業を聞いているか又は集中して自律学習をする場合、受信した全てのメッセージに応答することは現実的に難しい場合がある。この場合、ユーザは、受信したメッセージに対する応答メッセージを即座に応答すべき親や先生などの連絡先を予め設定された連絡先として入力することができ、注意力を分散させる友人等の連絡先や部活の先後輩の連絡先を選択しないようにできる。即ち、本発明による電子装置は、電子装置に保存された連絡先のうちの少なくとも１つが予め設定された連絡先として選択され、電子装置が予め設定された時間内に受信したメッセージを確認していないか又はメッセージを確認してはいるが予め設定された時間内に応答メッセージを送信していない場合、予め設定された自動応答メッセージ状態を反映してメッセージを発信した電子装置に自動応答メッセージを送信する。従って、本発明の電子装置は、人との基本的な信頼関係を維持させるだけでなく、上述した例のように職業の特性上即座に応答メッセージを送信する必要がない場合、電子装置に保存された連絡先のうちの予め設定される連絡先を取捨選択できる長所がある。
【００３２】
図４（ｃ）に示したように、電子装置は、自動的に応答メッセージを送信する連絡先として保存された連絡先のうちの特定の番号を除く連絡先が入力され得る。より具体的に、電子装置は、電子装置に保存された全ての連絡先のうちのスパム番号として登録された連絡先を除く連絡先が予め設定された連絡先として入力される。例えば、電子装置を使用するユーザは、普段スパムメールを多く受信していたため受信した連絡先をスパム番号として登録していたと仮定する。また、電子装置には１００個の連絡先が保存されており、保存された１００個の連絡先のうちの２０個の連絡先がスパム番号として登録されたと仮定する。この仮定で、電子装置を使用するユーザは、スパム番号として登録された２０個の連絡先を除く８０個の連絡先を予め設定された連絡先として入力できる。なぜなら、ユーザは、電子装置に保存された１００個の連絡先のうちのスパム番号として登録された２０個の連絡先に自動応答メッセージを送信する必要がないからである。電子装置にスパム番号として登録された連絡先を予め設定された連絡先に設定することは却ってスパムメールを増やしてしてしまう副作用が発生するからである。従って、本発明の電子装置は、人との基本的な信頼関係を維持させるだけでなく、上述した例のように職業の特性上即座に応答メッセージを送信する必要がない場合、電子装置に保存された連絡先のうちの予め設定される連絡先を取捨選択できる長所がある。
【００３３】
図４（ｄ）に示したように、電子装置は、自動的に応答メッセージを送信する連絡先として任意の局番から始まる連絡先が入力される。より具体的に、電子装置は、電子装置に保存された連絡先だけでなく電子装置に保存されていない連絡先であっても、少なくとも１つの任意の局番から始まる連絡先が予め設定された連絡先として入力される。例えば、電子装置を使用するユーザは、研究職に勤めている会社員であると仮定する。また、ユーザの居住地の局番は０１番の局番から始まり、ユーザの会社が位置する勤務地の局番は０２番の局番から始まると仮定する。この仮定で、ユーザの職業の特性上他の地域の人とは交流が少なく、経験的に他の地域からかかってくる電話の多くは間違い電話であるか又は不要な電話であると把握したユーザは、ユーザの居住地の局番である０１番の局番とユーザの勤務地の局番である０２番の局番のみを予め設定された連絡先として入力できる。即ち、電子装置は、電子装置に保存された他の電子装置の連絡先と共に特定の局番から始まる連絡先が入力され、該当局番から始まる連絡先から受信したメッセージに対する自動応答メッセージを送信する。
【００３４】
図５は、本発明による自動応答メッセージ状態を設定する一実施形態を示した図である。ここで、自動応答メッセージ状態とは、第１メッセージを自動的に送信するように設定されている状態及び第２メッセージを自動的に送信するように設定されている状態のうちのいずれか１つの状態として定義する。より具体的に、本発明による電子装置は、予め設定された自動応答メッセージ状態に応じてメッセージを受信した後、予め設定された時間内に受信したメッセージを確認していないか又はメッセージを確認したが設定された時間内に応答メッセージを送信していない場合、自動的に応答メッセージを送信する。
【００３５】
先ず、図５（ａ）に示したように、電子装置は、自動応答メッセージ状態のうちのいずれか１つが選択されるように、自動応答メッセージ状態を設定するように促す案内メッセージをタッチスクリーンに表示する。より具体的に、電子装置は、自動応答メッセージ状態である第１メッセージ及び第２メッセージのうちのいずれか１つが選択されるように電子装置のタッチスクリーンに案内メッセージを表示する。その後、電子装置で自動応答メッセージ状態として第１メッセージが選択された場合、電子装置は、電子装置の実質的な状況を反映した第１メッセージを作成し、メッセージを発信した電子装置に作成された第１メッセージを送信する。ここで、電子装置で自動応答メッセージ状態が第１メッセージを送信するように設定されているということは、電子装置の実質的な状況を反映したメッセージを作成してメッセージを発信した電子装置に作成されたメッセージを送信するという意味である。より具体的に、電子装置は、メッセージを発信した電子装置に自動応答メッセージを送信する時、画一的且つ通常的なメッセージを作成することではなく、具体的な電子装置の現実的な状況を反映したメッセージを作成するという意味である。
【００３６】
例えば、「Ａ電子装置」が「Ｂ電子装置」から午前２時に任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第１メッセージを作成するように設定されていると仮定する。この仮定で、「Ａ電子装置」が「Ｂ電子装置」から任意のメッセージを受信した後、予め設定された時間である１０分以内に受信したメッセージを確認しなかった場合、「Ａ電子装置」は電子装置の実質的な状態を確認する。その後、「Ａ電子装置」は、現在の時間が午前２時であることを確認し、「現在、お掛けになった電話の持ち主は睡眠中です。」のような第１メッセージを作成し、「Ｂ電子装置」に自動応答メッセージを送信する。
【００３７】
同様に、「Ａ電子装置」が「Ｂ電子装置」から任意のメッセージを受信した後、予め設定された時間である１０分以内に受信したメッセージを確認したが、メッセージを確認した後、予め設定された時間である１５分以内に受信したメッセージに対する応答メッセージを送信していない場合、「Ａ電子装置」は、電子装置の実質的な状態を確認する。その後、「Ａ電子装置」は、現在の時間が午前２時であることを確認し、「現在、お掛けになった電話の持ち主は睡眠中です。」のような第１メッセージを作成し、「Ｂ電子装置」に自動応答メッセージを送信する。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを発信した電子装置に自動的に作成された応答メッセージを送信する。
【００３８】
図５（ｂ）に示したように、電子装置は、自動応答メッセージ状態のうちのいずれか１つが選択されるように、自動応答メッセージ状態を設定するように促す案内メッセージをタッチスクリーンに表示する。より具体的に、電子装置は、自動応答メッセージ状態である第１メッセージ及び第２メッセージのうちのいずれか１つが選択されるように電子装置のタッチスクリーンに案内メッセージを表示する。その後、電子装置で自動応答メッセージ状態として第２メッセージが選択された場合、電子装置は、任意のメッセージを発信した電子装置に予め設定された自動応答メッセージである第２メッセージを送信する。ここで、電子装置で自動応答メッセージ状態が第２メッセージを送信するように設定されているということは、電子装置の実質的な状況を反映したメッセージを作成することなく、予め設定されたメッセージを呼び出してメッセージを発信した電子装置に作成されたメッセージを送信するという意味である。より具体的に、電子装置は、メッセージを発信した電子装置に自動応答メッセージを送信する時、電子装置の実質的な状況が反映されていない画一的なメッセージを送信するという意味である。
【００３９】
例えば、「Ａ電子装置」が「Ｂ電子装置」から任意のメッセージを受信しており、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第２メッセージを作成するように設定されており、第２メッセージは「今は応答メッセージを送信することができません」と仮定する。この仮定で、「Ａ電子装置」が「Ｂ電子装置」から任意のメッセージを受信した後、予め設定された時間である１０分以内に受信したメッセージを確認しなかった場合、「Ａ電子装置」は電子装置に設定された自動応答メッセージ状態を確認する。その後、「Ａ電子装置」で自動応答メッセージ状態が第２メッセージを送信するように設定されているため、「Ａ電子装置」は、電子装置の現在の状況に関係なく保存されている第２メッセージを呼び出す。その後、「Ａ電子装置」は、呼び出された第２メッセージ（「今は応答メッセージを送信することができません」）を「Ｂ電子装置」に自動的に送信する。同様に、「Ａ電子装置」が「Ｂ電子装置」から任意のメッセージを受信した後、予め設定された時間である１０分以内に受信したメッセージを確認したが、メッセージを確認した後、予め設定された時間である１５分以内に受信したメッセージに対する応答メッセージを送信していない場合、「Ａ電子装置」は、電子装置の現在の状況に関係なく保存されている第２メッセージを呼び出す。その後、「Ａ電子装置」は、呼び出された第２メッセージ（「今は応答メッセージを送信することができません」）を「Ｂ電子装置」に自動的に送信する。従って、ユーザは、ユーザの具体的な状況が反映された応答メッセージを自動的に送信することを望まない場合、一般的な第２メッセージを保存し、電子装置は、メッセージを発信した電子装置に自動応答メッセージを送信する。
【００４０】
図６は、本発明による電子装置の実質的な状況を反映した第１メッセージを作成して自動応答メッセージを送信する一実施形態を示した図である。先ず、電子装置で自動応答メッセージ状態が第１メッセージを作成するように設定されている場合、電子装置は、第１メッセージを作成するために電子装置の実質的な状況を反映する。より具体的に、電子装置は、電子装置の現在の実質的な状況を反映した第１メッセージを作成し、メッセージを発信した電子装置に自動応答メッセージを送信する。
【００４１】
例えば、大韓民国に居住地を持つ「Ａ電子装置」のユーザが仕事のために日本の大阪（ｏｓａｋａ）に出張に行って現在日本の大阪に位置しているが、「Ａ電子装置」が「Ｂ電子装置」から任意のメッセージを受信したと仮定する。また、「Ａ電子装置」でメッセージを確認したか否かを判断する予め設定された時間は２０分であり、確認したメッセージに対する応答メッセージを送信したか否かを判断する予め設定された時間は３０分であり、「Ａ電子装置」で設定された自動応答メッセージ状態は第１メッセージを作成するように設定されていると仮定する。この仮定で、「Ａ電子装置」が「Ｂ電子装置」から任意のメッセージを受信した後、予め設定された時間である２０分以内に受信したメッセージを確認しなかった場合、「Ａ電子装置」は、電子装置の実質的な状態を確認する。その後、「Ａ電子装置」は、ＧＰＳ衛星及び基地局のうちの少なくとも１つから現在の位置情報を受信し、現在の「Ａ電子装置」の位置が大韓民国を離れた日本の大阪に位置していることを確認する。図６に示したように、現在の位置情報を確認した「Ａ電子装置」は、電子装置の実質的な状況を反映した「現在、お掛けになった電話の持ち主は日本に主張中です」のような第１メッセージを作成し、「Ｂ電子装置」に自動応答メッセージを送信する。
【００４２】
同様に、「Ａ電子装置」が「Ｂ電子装置」から任意のメッセージを受信した後、予め設定された時間である２０分以内に受信したメッセージを確認したが、メッセージを確認した後、予め設定された時間である３０分以内に受信したメッセージに対する応答メッセージを送信していない場合、「Ａ電子装置」は、電子装置の実質的な状態を確認する。その後、「Ａ電子装置」は、ＧＰＳ衛星及び基地局のうちの少なくとも１つから現在の位置情報を受信し、現在の「Ａ電子装置」の位置が大韓民国を離れた日本の大阪に位置していることを確認する。図６に示したように、現在の位置情報を確認した「Ａ電子装置」は、電子装置の実質的な状況を反映した「現在、お掛けになった電話の持ち主は日本に主張中です」のような第１メッセージを作成し、「Ｂ電子装置」に自動応答メッセージを送信する。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを発信した電子装置に送信する。
【００４３】
図７は、本発明による電子装置の実質的な状況を反映した第１メッセージを作成して自動応答メッセージを送信する更に他の実施形態を示した図である。先ず、電子装置で自動応答メッセージ状態が第１メッセージを作成するように設定されている場合、電子装置は、第１メッセージを作成するために電子装置の実質的な状況を反映する。より具体的に、電子装置は、電子装置の現在の実質的な状況を反映した第１メッセージを作成し、メッセージを発信した電子装置に自動応答メッセージを送信する。
【００４４】
例えば、「Ａ電子装置」が「Ｂ電子装置」から午前３時に任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第１メッセージを作成するように設定されていると仮定する。この仮定で、「Ａ電子装置」が「Ｂ電子装置」から任意のメッセージを受信した後、予め設定された時間である１０分以内に受信したメッセージを確認しなかった場合、「Ａ電子装置」は、電子装置の実質的な状態を確認する。その後、図７（ａ）に示したように、「Ａ電子装置」は、現在の時間が午前２時であることを確認し、「現在、お掛けになった電話の持ち主は睡眠中です」のような第１メッセージを作成し、「Ｂ電子装置」に自動応答メッセージを送信する。
【００４５】
同様に、「Ａ電子装置」が「Ｂ電子装置」から任意のメッセージを受信した後、予め設定された時間である１０分以内に受信したメッセージを確認したが、メッセージを確認した後、予め設定された時間である１５分以内に受信したメッセージに対する応答メッセージを送信していない場合、「Ａ電子装置」は、電子装置の実質的な状態を確認する。その後、図７（ａ）に示したように、「Ａ電子装置」は、現在の時間が午前３時であることを確認し、「現在、お掛けになった電話の持ち主は睡眠中です」のような第１メッセージを作成し、「Ｂ電子装置」に自動応答メッセージを送信する。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを送信した電子装置に送信する。
【００４６】
他の例として、「Ａ電子装置」が「Ｂ電子装置」から午後１２時３０分に任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第１メッセージを作成するように設定されていると仮定する。この仮定で、「Ａ電子装置」が「Ｂ電子装置」から任意のメッセージを受信した後、予め設定された時間である１０分以内に受信したメッセージを確認しなかった場合、「Ａ電子装置」は、電子装置の実質的な状態を確認する。その後、図７（ｂ）に示したように、「Ａ電子装置」は、現在の時間が午後１２時３０分であることを確認し、「現在、お掛けになった電話の持ち主は食事中です」のような第１メッセージを作成し、「Ｂ電子装置」に自動応答メッセージを送信する。
【００４７】
同様に、「Ａ電子装置」が「Ｂ電子装置」から任意のメッセージを受信した後、予め設定された時間である１０分以内に受信したメッセージを確認したが、メッセージを確認した後、予め設定された時間である１５分以内に受信したメッセージに対する応答メッセージを送信していない場合、「Ａ電子装置」は、電子装置の実質的な状態を確認する。その後、図７（ｂ）に示したように、「Ａ電子装置」は、現在の時間が午後１２時３０分であることを確認し、「現在、お掛けになった電話の持ち主は食事中です」のような第１メッセージを作成し、「Ｂ電子装置」に自動応答メッセージを送信する。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを送信した電子装置に送信する。
【００４８】
図８は、本発明による電子装置の実質的な状況を反映した第１メッセージを作成して自動応答メッセージを送信する更に他の実施形態を示した図である。先ず、電子装置で自動応答メッセージ状態が第１メッセージを作成するように設定されている場合、電子装置は、第１メッセージを作成するために電子装置の実質的な状況を反映する。より具体的に、電子装置は、電子装置の現在の実質的な状況を反映した第１メッセージを作成し、メッセージを発信した電子装置に自動応答メッセージを送信する。
【００４９】
例えば、「Ａ電子装置」で勾配の変化及び空間的動きを感知し、感知された勾配の変化及び空間的動きが予め設定された勾配及び予め設定された空間座標から離れたことが確認された場合、「Ａ電子装置」は、現在運動中であるという第１メッセージを作成するように設定されていると仮定する。より具体的に、図８（ａ）に示した例のように、「Ａ電子装置」が縦に水平面と一直線上に並んでいる場合を基準にして、「Ａ電子装置」が上方又は下方にａ度（８０１）の範囲より離れた角度に傾いている場合が予め設定された時間内に予め設定された回数以上感知された場合、「Ａ電子装置」は、現在運動中であるという第１メッセージを作成するように設定されていると仮定する。また、「Ａ電子装置」が「Ｂ電子装置」から任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。この仮定で、「Ａ電子装置」が「Ｂ電子装置」から任意のメッセージを受信した後、予め設定された時間である１０分以内に受信したメッセージを確認しなかった場合、「Ａ電子装置」は、電子装置の実質的な状態を確認する。その後、図８（ａ）に示したように、「Ａ電子装置」がＸ軸を基準にして上方又は下方にａ度（８０１）の範囲より離れた角度に傾いている場合が予め設定された時間内に予め設定された回数以上感知された場合、「Ａ電子装置」は、現在運動中であるという第１メッセージを作成する。その後、電子装置は、「Ｂ電子装置」に作成された第１メッセージである「現在、お掛けになった電話の持ち主は運動中です」のような自動応答メッセージを送信する。
【００５０】
同様に、「Ａ電子装置」が「Ｂ電子装置」から任意のメッセージを受信した後、予め設定された時間である１０分以内に受信したメッセージを確認したが、メッセージを確認した後、予め設定された時間である１５分以内に受信したメッセージに対する応答メッセージを送信していない場合、「Ａ電子装置」は、電子装置の実質的な状態を確認する。その後、図８（ａ）に示したように、「Ａ電子装置」がＸ軸を基準にして上方又は下方にａ度（８０１）の範囲より離れた角度に傾いている場合が予め設定された時間内に予め設定された回数以上感知された場合、「Ａ電子装置」は、現在運動中であるという第１メッセージを作成する。その後、電子装置は、「Ｂ電子装置」に作成された第１メッセージである「現在、お掛けになった電話の持ち主は運動中です」のような自動応答メッセージを送信する。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを送信した電子装置に送信する。
【００５１】
図９は、本発明による保存された第２メッセージを呼び出して自動応答メッセージを送信する一実施形態を示した図である。先ず、電子装置で自動応答メッセージ状態が第２メッセージを自動的に送信するように設定されている場合、電子装置は、保存された第２メッセージを呼び出してメッセージを発信した電子装置に送信する。より具体的に、電子装置で予め設定された時間内に受信したメッセージを確認していないか又はメッセージを確認してはいるが予め設定された時間内にメッセージを発信した電子装置に応答メッセージを送信していない場合、電子装置は、メッセージを発信した電子装置の連絡先が予め設定された連絡先であるか否かを判断する。その後、電子装置で判断した結果メッセージを発信した電子装置の連絡先が予め設定された連絡先であると判断された場合、電子装置は、自動応答メッセージ状態を詳しく確認する。電子装置で自動応答メッセージ状態が第２メッセージを送信するように設定されている場合、電子装置は、保存されている第２メッセージを呼び出し、メッセージを発信した電子装置に呼び出した第２メッセージを送信する。
【００５２】
例えば、図９（ａ）に示したように、電子装置で自動応答メッセージ状態が第２メッセージを送信するように設定されている場合、電子装置は、第２メッセージが直接入力される。即ち、電子装置は、「第２メッセージを入力してください」のような案内メッセージと共にタッチスクリーンに直接任意の内容の第２メッセージが入力されて保存する。本実施形態で、電子装置は、「今は応答メッセージを送ることができません。改めてご連絡ください」のような第２メッセージが入力された。また、図９（ｂ）に示したように、電子装置は、保存されている少なくとも１つの第２メッセージをタッチスクリーンに表示し、そのうちのいずれか１つが選択されて保存することもできる。例えば、電子装置は、「運転中です」、「会議中です」、及び「授業中です」のような保存された様々な第２メッセージをタッチスクリーンに表示していずれか１つが選択されて保存する。即ち、第２メッセージは、電子装置の現在の状況を反映せず、入力された一般的な状態メッセージとして定義される。従って、ユーザは、ユーザの具体的な状況が反映された応答メッセージを自動的に送信することを望まない場合、一般的な第２メッセージを設定し、電子装置は、メッセージを発信した電子装置に自動応答メッセージを送信する。
【００５３】
図１０は、本発明の一実施形態による電子装置の動作手順を示したフローチャートである。先ず、図１０に示したように、電子装置は、電源が入っているか否かを判断する（ステップＳ１００１）。より具体的に、電子装置の電源が入っている場合、電子装置は、任意の電子装置からメッセージを受信することができ、電子装置の電源が切れている場合、電子装置は、任意の電子装置からメッセージを受信することができない。
【００５４】
電子装置で電子装置の電源が入っていると判断した場合、電子装置は、節電モード状態にあるか否かを判断する（ステップＳ１００２）。ここで、節電モード状態とは、電子装置の電源は入っているが、現在電子装置でメッセージを受信できないモード状態として定義する。例えば、電子装置の動作中のモード状態が「機内モード」に設定された場合、電子装置は、電源が入っているが「機内モード」状態が一般モード状態に切り替えられるまでは受信したメッセージを即座に確認することができない。
【００５５】
電子装置で電子装置の動作状態が節電モード状態ではないと判断した場合、電子装置は、メッセージを受信する（ステップＳ１００３）。より具体的に、電子装置は、任意の電子装置から少なくとも１つのメッセージを受信する。例えば、「Ａ電子装置」が「Ｂ電子装置」に画像が含まれたメッセージを送信する場合、「Ｂ電子装置」の電源が入っていて「Ｂ電子装置」の動作状態が節電モード状態ではない場合、「Ｂ電子装置」は、「Ａ電子装置」が送信した画像が含まれたメッセージを受信する。
【００５６】
その後、電子装置は、予め設定された時間内に受信したメッセージを確認したか否かを判断する（ステップＳ１００４）。例えば、電子装置でメッセージを確認したか否かを判断する予め設定された時間が５分と仮定する。この仮定で、電子装置が任意の電子装置から少なくとも１つのメッセージを受信した場合、電子装置は、予め設定された時間である５分以内に受信した少なくとも１つのメッセージを確認したか否かを判断する。
【００５７】
電子装置で予め設定された時間内に受信したメッセージを確認しなかった場合、電子装置は、メッセージを送信した電子装置の連絡先が予め設定された連絡先であるか否かを判断する（ステップＳ１００５）。ここで、予め設定された連絡先は、電子装置に保存された少なくとも１つの連絡先、電子装置に保存された少なくとも１つの連絡先のうちの入力された少なくとも１つの連絡先、電子装置にスパム連絡先として登録された連絡先を除く少なくとも１つの連絡先、及び任意の局番から始まる少なくとも１つの連絡先のうちの少なくとも１つの連絡先などが定義される。例えば、電子装置には１００個の連絡先が保存されているが、保存された１００個の連絡先のうちのスパム連絡先として登録された連絡先は１０個であり、０１の局番から始まる連絡先は１５個、０２の局番から始まる連絡先は１０個、そして０３の局番から始まる連絡先は３０個と仮定する。この仮定で、電子装置は、保存された１００個の連絡先が全て予め設定された連絡先として入力され得、保存された１００個の連絡先のうちのスパム連絡先として登録された１０個の連絡先を除く９０個の連絡先が予め設定された連絡先として入力され得る。また、電子装置は、保存された１００個の連絡先のうちの０１局番及び０２局番から始まる連絡先である２５個の連絡先が予め設定された連絡先として入力され得、スパム連絡先及び０１〜０３局番から始まる連絡先を除く３５個の連絡先が予め設定された連絡先として入力され得る。即ち、電子装置は、保存された少なくとも１つの連絡先のうちの少なくとも１つの連絡先が予め設定された連絡先として入力され得る。
【００５８】
電子装置でメッセージを送信した電子装置の連絡先が予め設定された連絡先であると判断した場合、電子装置は、自動応答メッセージ状態が第１メッセージを送信するように設定されているか否かを判断する（ステップＳ１００６）。ここで、電子装置で自動応答メッセージ状態が第１メッセージを送信するように設定されているということは、電子装置の実質的な状況を反映したメッセージを作成してメッセージを発信した電子装置に作成されたメッセージを送信するという意味である。より具体的に、電子装置は、メッセージを発信した電子装置に自動応答メッセージを送信する時、画一的且つ通常的なメッセージを作成することではなく、具体的な電子装置の現実的な状況を反映したメッセージを作成するという意味である。
【００５９】
電子装置の自動応答メッセージ状態が第１メッセージを送信するように設定されている場合、電子装置は、現在の状況を判断する（ステップＳ１００７）。例えば、「Ａ電子装置」が「Ｂ電子装置」から午前２時に任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第１メッセージを作成するように設定されていると仮定する。この仮定で、「Ａ電子装置」が「Ｂ電子装置」から任意のメッセージを受信した後、予め設定された時間である１０分以内に受信したメッセージを確認しなかった場合、「Ａ電子装置」は、電子装置の実質的な状態を確認する。即ち、「Ａ電子装置」は、現在の時間が午前２時であることを確認する。
【００６０】
現在の状況を判断した電子装置は、現在の状況を反映した第１メッセージを作成し、メッセージを発信した電子装置に作成されたメッセージを送信する（ステップＳ１００８）。例えば、「Ａ電子装置」が「Ｂ電子装置」から午後１２時３０分に任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第１メッセージを作成するように設定されていると仮定する。この仮定で、「Ａ電子装置」が「Ｂ電子装置」から任意のメッセージを受信した後、予め設定された時間である１０分以内に受信したメッセージを確認しなかった場合、「Ａ電子装置」は、電子装置の実質的な状態を確認する。その後、図７（ｂ）に示したように、「Ａ電子装置」は、現在の時間が午後１２時３０分であることを確認し、「現在、お掛けになった電話の持ち主は食事中です」のような第１メッセージを作成し、「Ｂ電子装置」に自動応答メッセージを送信する。
【００６１】
上述した判断過程（ステップＳ１００１）で、電子装置の電源が入っていない場合、電子装置は、電源が入った後、累積された少なくとも１つのメッセージを受信する（ステップＳ１００９）。より具体的に、電子装置の電源が切れている場合、電子装置は、メッセージを受信できない状態のままであるが、電子装置の電源が入った後、累積された少なくとも１つのメッセージを受信することができる。例えば、「Ａ電子装置」が「Ｂ電子装置」に任意のメッセージを送信する時、「Ｂ電子装置」の電源が切れている場合、「Ｂ電子装置」は、「Ａ電子装置」が送信した任意のメッセージを受信することができない。その後、「Ｂ電子装置」の電源が入った場合、「Ｂ電子装置」は、「Ａ電子装置」が送信した累積された任意のメッセージを受信する。そして、電子装置は、予め設定された時間内に受信したメッセージを確認したか否かを判断する過程（ステップＳ１００４）を繰り返す。
【００６２】
上述した判断過程（ステップＳ１００２）で、電子装置の動作状態が節電モード状態にあると判断した場合、電子装置は、節電モード状態が一般モード状態に切り替えられた後、累積された少なくとも１つのメッセージを受信する（ステップＳ１０１０）。例えば、電子装置の動作中のモード状態が「機内モード」に設定された場合、電子装置は、電源が入っているが「機内モード」状態が一般モード状態に切り替えられるまでは受信したメッセージを即座に確認することができない。その後、電子装置で動作中のモード状態が節電モード状態から一般モード状態に切り替えられた場合、電子装置は、節電モード状態で受信することができなかった累積された少なくとも１つのメッセージを受信する。そして、電子装置は、予め設定された時間内に受信したメッセージを確認したか否かを判断する過程（ステップＳ１００４）を繰り返す。
【００６３】
上述した判断過程（ステップＳ１００４）で、電子装置で予め設定された時間内に受信したメッセージを確認した場合、電子装置は、予め設定された時間内にメッセージを送信した電子装置に応答メッセージを送信したか否かを判断する（ステップＳ１０１１）。例えば、「Ａ電子装置」が「Ｂ電子装置」から任意のメッセージを受信したと仮定する。また、「Ａ電子装置」でメッセージを確認したか否かを判断する予め設定された時間は２０分であり、確認したメッセージに対する応答メッセージを送信したか否かを判断する予め設定された時間は３０分と仮定する。この仮定で、「Ａ電子装置」が「Ｂ電子装置」から任意のメッセージを受信した後、予め設定された時間である２０分以内に受信したメッセージを確認した場合であっても、メッセージを確認した後、予め設定された時間である３０分以内に受信したメッセージに対する応答メッセージを送信したか否かを判断する。電子装置で予め設定された時間内にメッセージを送信した電子装置に応答メッセージを送信した場合、電子装置の動作手順が即座に終了する。しかし、電子装置で予め設定された時間内にメッセージを送信した電子装置に応答メッセージを送信していない場合、電子装置は、メッセージを送信した電子装置の連絡先が予め設定された連絡先であるか否かを判断する過程（ステップＳ１００５）を繰り返す。
【００６４】
上述した判断過程（ステップＳ１００６）で、電子装置で自動応答メッセージ状態が第１メッセージを送信するように設定されていない場合、電子装置は、予め設定された第２メッセージを呼び出してメッセージを発信した電子装置に呼び出されたメッセージを送信する（ステップＳ１０１２）。例えば、「Ａ電子装置」が「Ｂ電子装置」から任意のメッセージを受信し、「Ａ電子装置」でメッセージを確認したか否かを判断する予め設定された時間は１０分であり、確認したメッセージに対する応答メッセージを送信したか否かを判断する予め設定された時間は１５分と仮定する。また、「Ａ電子装置」で設定された自動応答メッセージ状態は第２メッセージを作成するように設定されており、第２メッセージは「今は応答メッセージを送信することができません」と仮定する。この仮定で、「Ａ電子装置」が「Ｂ電子装置」から任意のメッセージを受信した後、予め設定された時間である１０分以内に受信したメッセージを確認しなかった場合、「Ａ電子装置」は、電子装置に設定された自動応答メッセージ状態を確認する。その後、「Ａ電子装置」で自動応答メッセージ状態が第２メッセージを送信するように設定されているため、「Ａ電子装置」は、電子装置の現在の状況に関係なく保存されている第２メッセージを呼び出す。その後、「Ａ電子装置」は、呼び出された第２メッセージ（「今は応答メッセージを送信できない状態です」）を「Ｂ電子装置」に自動的に送信する。同様に、「Ａ電子装置」が「Ｂ電子装置」から任意のメッセージを受信した後、予め設定された時間である１０分以内に受信したメッセージを確認したが、メッセージを確認した後、予め設定された時間である１５分以内に受信したメッセージに対する応答メッセージを送信していない場合、「Ａ電子装置」は、電子装置の現在の状況に関係なく保存されている第２メッセージを呼び出す。その後、「Ａ電子装置」は、呼び出された第２メッセージ（「今は応答メッセージを送信できない状態です」）を「Ｂ電子装置」に自動的に送信する。従って、ユーザは、ユーザの具体的な状況が反映された応答メッセージを自動的に送信することを望まない場合、一般的な第２メッセージを保存し、電子装置は、メッセージを発信した電子装置に自動応答メッセージを送信する。
【００６５】
図１１（ａ）は、本発明の一実施形態による現在状態に基づき応答メッセージを送信する電子装置の動作方法のフローチャートである。先ず、図１１（ａ）に示したように、電子装置は、受信したメッセージを予め設定された時間内に確認したか否かを判断する（ステップＳ１１０１）。例えば、電子装置でメッセージを確認したか否かを判断する予め設定された時間が５分と仮定する。この仮定で、電子装置が任意の電子装置から少なくとも１つのメッセージを受信した場合、電子装置は、予め設定された時間である５分以内に受信した少なくとも１つのメッセージを確認したか否かを判断する。
【００６６】
その後、電子装置は、受信したメッセージを予め設定された時間内に確認していない場合、メッセージを発信した電子装置の連絡先が予め設定された連絡先であるか否かを判断する（ステップＳ１１０２）。ここで、予め設定された連絡先は、電子装置に保存された少なくとも１つの連絡先、電子装置に保存された少なくとも１つの連絡先のうちの入力された少なくとも１つの連絡先、電子装置にスパム連絡先として登録された連絡先を除く少なくとも１つの連絡先、及び任意の局番から始まる少なくとも１つの連絡先のうちの少なくとも１つの連絡先などが定義される。
【００６７】
その後、電子装置は、予め設定された自動応答メッセージ状態を反映してメッセージを発信した電子装置に自動応答メッセージを送信する（ステップＳ１１０３）。先ず、電子装置で自動応答メッセージ状態が第１メッセージを自動的に送信するように設定されている場合を詳しく述べる。電子装置で任意の電子装置からメッセージを受信した場合、電子装置は、予め設定された時間内に電子装置で受信したメッセージを確認したか否かを判断する。電子装置で受信したメッセージを予め設定された時間内に確認していないか又は受信したメッセージを確認してはいるが予め設定された時間内に応答メッセージを送信していない場合、電子装置は、メッセージを発信した電子装置の連絡先が予め設定された連絡先であるか否かを判断する。電子装置で判断した結果、メッセージを発信した電子装置の連絡先が予め設定された連絡先であると確認された場合、電子装置は、電子装置の実質的な状況が反映された第１メッセージを作成するために電子装置の現在の状況を判断する。その後、電子装置は、判断された電子装置の現在の状況を反映した第１メッセージを作成し、メッセージを発信した電子装置に作成された第１メッセージを送信する。例えば、電子装置がＧＰＳ衛星及び基地局のうちの少なくとも１つから電子装置の現在の位置情報を受信した結果、現在の電子装置が予め設定された地域から離れた場所であるアメリカに位置していることが確認された場合、電子装置は、「現在、お掛けになった電話の持ち主はアメリカに主張中です」  のような第１メッセージを作成する。即ち、第１メッセージは、電子装置の現在の状況が反映されたメッセージとして定義される。従って、ユーザは、ユーザの具体的な状況が反映された応答メッセージを自動的に送信することを望む場合、自動応答メッセージ状態を第１メッセージ状態に設定し、電子装置は、ユーザの具体的な状況が反映された内容の応答メッセージを自動的に作成してメッセージを発信した電子装置に送信する。
【００６８】
次に、電子装置で自動応答メッセージ状態が第２メッセージを自動的に送信するように設定されている場合を詳しく述べる。電子装置でメッセージを発信した電子装置の連絡先が予め設定された連絡先であることを確認した場合、電子装置は、予め設定された自動応答メッセージ状態を確認した後、確認された自動応答メッセージ状態が第２メッセージを送信するように設定されていることを確認する。その後、電子装置は、設定されている第２メッセージを呼び出し、メッセージを発信した任意の電子装置に呼び出された第２メッセージを送信する。例えば、電子装置に設定された第２メッセージが「今は応答メッセージを送信できない状態です。」に設定されている場合、電子装置は、第２メッセージを呼び出してメッセージを発信した電子装置に呼び出した第２メッセージを自動的に送信する。即ち、第２メッセージは、電子装置の現在の状況が反映されていない一般的な状態メッセージとして定義される。従って、ユーザは、ユーザの具体的な状況が反映された応答メッセージを自動的に送信することを望まない場合、自動応答メッセージとして第２メッセージを送信するように設定し、電子装置は、メッセージを発信した電子装置に自動応答メッセージを送信する。
【００６９】
図１１（ｂ）は、本発明の一実施形態による現在状態に基づき応答メッセージを送信する電子装置の構成を示した図である。先ず、電子装置のプロセッサユニットは、受信したメッセージを予め設定された時間内に確認したか否かを判断し、受信したメッセージを予め設定された時間内に確認していない場合、メッセージを発信した電子装置の連絡先が予め設定された連絡先であるか否かを判断する手段１１０４を有する。例えば、プロセッサユニットでメッセージを確認したか否かを判断する予め設定された時間が５分と仮定する。この仮定で、電子装置で任意の電子装置から少なくとも１つのメッセージを受信した場合、プロセッサユニットは、予め設定された時間である５分以内に受信した少なくとも１つのメッセージを確認したか否かを判断する。その後、プロセッサユニットは、受信したメッセージを予め設定された時間内に確認していない場合、メッセージを発信した電子装置の連絡先が予め設定された連絡先であるか否かを判断する。ここで、予め設定された連絡先は、電子装置に保存された少なくとも１つの連絡先、電子装置に保存された少なくとも１つの連絡先のうちの入力された少なくとも１つの連絡先、電子装置にスパム連絡先として登録された連絡先を除く少なくとも１つの連絡先、及び任意の局番から始まる少なくとも１つの連絡先のうちの少なくとも１つの連絡先などが定義される。
【００７０】
電子装置の通信モジュールは、予め設定された自動応答メッセージ状態を反映してメッセージを発信した電子装置に自動応答メッセージを送信する手段１１０５を有する。先ず、電子装置のプロセッサユニットで判断した結果、メッセージを発信した電子装置の連絡先が予め設定された連絡先であると確認された場合、プロセッサユニットで判断された電子装置の現在の状況を反映した第１メッセージを作成した後、通信モジュールは、メッセージを発信した電子装置に作成された第１メッセージを送信する。また、プロセッサユニットでメッセージを発信した電子装置の連絡先が予め設定された連絡先であることを確認した場合、プロセッサユニットで予め設定された自動応答メッセージ状態を確認した後、通信モジュールは、設定された第２メッセージを呼び出し、メッセージを発信した任意の電子装置に呼び出された第２メッセージを送信する。
【００７１】
図１２は、本発明の一実施形態による電子装置の構成を示したブロック図である。このような電子装置１２００は、携帯用電子装置であって、携帯端末、移動電話、モバイルパッド、メディアプレーヤ、タブレットコンピュータ、ハンドヘルドコンピュータ、又はＰＤＡ（Ｐｅｒｓｏｎａｌ  Ｄｉｇｉｔａｌ  Ａｓｓｉｓｔａｎｔ）のような装置である。また、このような装置のうちの２種以上の機能を結合した装置を含む任意の携帯用電子装置である。
【００７２】
このような電子装置１２００は、メモリ１２１０、プロセッサユニット１２２０、第１無線通信サブシステム１２３０、第２無線通信サブシステム１２３１、外部ポート１２６０、オーディオサブシステム１２５０、スピーカ１２５１、マイクロホン１２５２、入出力（ＩＯ：Ｉｎｐｕｔ  Ｏｕｔｐｕｔ）システム１２７０、タッチスクリーン１２８０、及びその他の入力／制御装置１２９０を含む。メモリ１２１０と外部ポート１２６０は多数個が使用され得る。
【００７３】
プロセッサユニット１２２０は、メモリインタフェース１２２１、１つ以上のプロセッサ１２２２、及び周辺装置インタフェース１２２３を含む。場合によっては、プロセッサユニット１２２０全体をプロセッサと称する場合もある。本実施形態のプロセッサユニット１２２０は、受信したメッセージを予め設定された時間内に確認したか否かを判断し、受信したメッセージを予め設定された時間内に確認していない場合、メッセージを発信した電子装置の連絡先が予め設定された連絡先であるか否かを判断する。また、プロセッサユニット１２２０は、電源が入っているか否かを判断し、電源が入っている場合に動作中のモード状態が節電モードに設定されているか否かを判断する。また、プロセッサユニット１２２０は、電源が入っている場合に動作中のモード状態が節電モードに設定されているか否かを判断する。また、プロセッサユニット１２２０は、受信したメッセージを予め設定された時間内に確認した場合、予め設定された時間内にメッセージを発信した電子装置に受信したメッセージに対する応答メッセージを送信したか否かを判断し、予め設定された時間内にメッセージを発信した電子装置に受信したメッセージに対する応答メッセージが送信されたかを確認する。また、プロセッサユニット１２２０は、設定された自動応答メッセージ状態を確認し、確認された自動応答メッセージ状態が第１メッセージを送信するように設定されている場合、第１メッセージを作成するために現在の状況を判断し、判断した現在の状況を反映して第１メッセージを作成する。また、プロセッサユニット１２２０は、現在の位置情報を受信した結果、予め設定された地域から離れた場所に位置しているかを確認し、現在の時刻情報を受信した結果、予め設定された時間が経過したかを確認する。また、プロセッサユニット１２２０は、現在の時刻情報を受信した結果、予め設定された時間範囲内にいるかを確認し、備えられた少なくとも１つのセンサから勾配の変化及び空間的動きを感知し、感知した勾配の変化及び空間的動きが予め設定された勾配及び予め設定された空間座標を離れたかを確認する。また、プロセッサユニット１２２０は、第１メッセージに設定された地域から離れた場所に位置しているという内容のメッセージを作成し、第１メッセージに設定された時間が経過したという内容のメッセージを作成する。また、プロセッサユニット１２２０は、時間範囲による予め設定された内容を確認し、第１メッセージに時間範囲による予め設定された内容のうちの現在の時間範囲に該当する内容のメッセージを作成し、第１メッセージに運動中という内容のメッセージを作成する。また、プロセッサユニット１２２０は、設定された自動応答メッセージ状態を確認し、確認された自動応答メッセージ状態が第２メッセージを送信するように設定されている場合、第２メッセージを呼び出す。また、プロセッサユニット１２２０は、呼び出された第２メッセージを発信した電子装置に送信する。
【００７４】
プロセッサ１２２２は、様々なソフトウェアプログラムを実行して電子装置１２００のための様々な機能を行い、また音声通信及びデータ通信のための処理及び制御を行う。また、このような通常的な機能に加え、プロセッサ１２２２は、メモリ１２１０に保存されている特定のソフトウェアモジュール（命令セット）を実行してそのモジュールに対応する特定の様々な機能を行う役割も果たす。即ち、プロセッサ１２２２は、メモリ１２１０に保存されたソフトウェアモジュールと連動して本発明の実施形態の方法を行う。
【００７５】
プロセッサ１２２２は、１つ以上のデータプロセッサ、イメージプロセッサ、又はコーデック（ＣＯＤＥＣ）を含み得る。データプロセッサ、イメージプロセッサ、又はコーデックは別途構成することもできる。また、それぞれ異なる機能を行う幾つかのプロセッサで構成することもできる。周辺装置インタフェース１２２３は、電子装置１２００の入出力サブシステム１２７０及び様々な周辺装置をプロセッサ１２２２及びメモリ１２１０（メモリインタフェースを介して）に接続させる。
【００７６】
電子装置１２００の様々な構成要素は、１つ以上の通信バス（符号記載せず）又はストリーム線（符号記載せず）によって結合（ｃｏｕｐｌｅｄ）される。
【００７７】
外部ポート１２６０は、携帯用電子装置（図示せず）を他の電子装置に直接連結するか、ネットワーク（例えば、インターネット、イントラネット、無線ＬＡＮ等）を介して他の電子装置に間接的に連結するために使用される。外部ポート１２６０は、例えばこれらに限定されないが、ＵＳＢ（Ｕｎｉｖｅｒｓａｌ  ｓｅｒｉａｌ  Ｂｕｓ）ポート又はＩＥＥＥ１３９４ポートなどをいう。
【００７８】
モーションセンサ１２９１及び光センサ１２９２は、周辺装置インタフェース１２２３に結合されて様々な機能を可能にする。例えば、モーションセンサ１２９１及び光センサ１２９２が周辺装置インタフェース１２２３に結合されて、それぞれ電子装置の動きの感知、電荷移動量の感知、及び外部からの光の感知を可能にする。その他、位置測定システム、温度センサ、又はバイオセンサなどのようなその他のセンサが周辺装置インタフェース１２２３に連結されて関連機能を行う。
【００７９】
カメラサブシステム１２９３は、写真及びビデオクリップレコーディングのようなカメラ機能を行う。
【００８０】
光センサ１２９２には、ＣＣＤ（ｃｈａｒｇｅｄ  ｃｏｕｐｌｅｄ  ｄｅｖｉｃｅ）又はＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）デバイスを使用することができる。
【００８１】
１つ以上の無線通信サブシステム１２３０、１２３１を介して通信機能が行われる。無線通信サブシステム１２３０、１２３１は、無線周波数受信機及び送受信機、及び／又は光（例えば、赤外線）受信機及び送受信機を含み得る。第１通信サブシステム１２３０と第２通信サブシステム１２３１は、電子装置１２００が通信する通信ネットワークによって区分できる。例えば、通信ネットワークは、これらに限定しないが、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）ネットワーク、ＥＤＧＥ（Ｅｎｈａｎｃｅｄ  Ｄａｔａ  ＧＳＭ（登録商標）  Ｅｎｖｉｒｏｎｍｅｎｔ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）ネットワーク、ＬＴＥ（Ｌｏｎｇ  Ｔｅｒｍ  Ｅｖｏｌｕｔｉｏｎ）ネットワーク、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ネットワーク、Ｗｉ−Ｆｉ（Ｗｉｒｅｌｅｓｓ  Ｆｉｄｅｌｉｔｙ）ネットワーク、ＷｉＭａｘネットワーク、及び／又はＢｌｕｅｔｏｏｔｈ（登録商標）ネットワークなどを介して作動するように設計される通信サブシステムを含み得る。第１無線通信サブシステム１２３０と第２無線通信サブシステム１２３１は、合わせて１つの無線通信サブシステムに構成することもできる。
【００８２】
オーディオサブシステム１２５０は、スピーカ１２５１及びマイクロホン１２５２に結合されて音声認識、音声合成、デジタルレコーディング、及び電話機能のようなオーディオストリームの入力と出力を担当する。即ち、オーディオサブシステム１２５０は、スピーカ１２５１及びマイクロホン１２５２を介してユーザとコミュニケーションする。オーディオサブシステム１２５０は、プロセッサユニット１２２０の周辺装置インタフェース１２２３を介してデータストリームを受信し、受信したデータストリームを電気ストリームに変換する。変換された電気ストリーム（ｅｌｅｃｔｒｉｃ  ｓｉｇｎａｌ）はスピーカ１２５１に伝達される。スピーカ１２５１は、電気ストリームを人が聴ける音波に変換して出力する。マイクロホン１２５２は、人やその他の音源から伝達された音波を電気ストリームに変換する。また、マイクロホン１２５２は、少なくとも２つ以上の第２センサのうちのいずれか１つの第２センサで設定された距離内に物体が位置していることを感知した場合に作動する。オーディオサブシステム１２５０は、マイクロホン１２５２から変換された電気ストリームを受信する。オーディオサブシステム１２５０は、受信した電気ストリームをオーディオデータストリームに変換し、変換されたオーディオデータストリームを周辺インタフェース１２２３に送信する。オーディオサブシステム１２５０は、脱着可能なイヤホン、ヘッドホン、又はヘッドセットを含み得る。
【００８３】
入出力（Ｉ／Ｏ：Ｉｎｐｕｔ／Ｏｕｔｐｕｔ）システム１２７０は、タッチスクリーン制御器１２７１及び／又はその他の入力制御器１２７２を含む。タッチスクリーン制御器１２７１は、タッチスクリーン１２８０に結合される。タッチスクリーン１２８０及びタッチスクリーン制御器１２７１は、以下に限定しないが、タッチスクリーン１２８０との１つ以上の接触点を決定するための容量性、抵抗性、赤外線、及び表面音響派技術だけでなく、その他の近接センサ配列又はその他の要素を含む任意のマルチタッチ感知技術を用いて接触及びモーション又はこれらの中断を検出する。その他の入力制御器１２７２は、その他の入力／制御装置１２９０に結合される。その他の入力／制御装置１２９０は、１つ以上のボタン、ロッカ（ｒｏｃｋｅｒ）スイッチ、サムホイール、ダイヤル、スティック、及び／又はスタイラスのようなポインタ装置などである。
【００８４】
タッチスクリーン１２８０は、電子装置１２００とユーザとの間に入力／出力インタフェースを提供する。即ち、タッチスクリーン１２８０は、ユーザのタッチ入力を電子装置１２００に伝達する。また電子装置１２００からの出力をユーザに示す媒体である。即ち、タッチスクリーン１２８０は、ユーザに視覚的な出力を示す。このような視覚的出力は、テキスト、グラフィック、ビデオとこれらの組み合わせの形態で示される。
【００８５】
タッチスクリーン１２８０は、様々なディスプレイが使用される。例えば、これらに限定しないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）、又はＦＬＥＤ（Ｆｌｅｘｉｂｌｅ  ＬＥＤ）を使用することができる。
【００８６】
メモリ１２１０は、メモリインタフェース１２２１に結合される。メモリ１２１０は、１つ以上の磁気ディスク保存装置のような高速ランダムアクセスメモリ及び／又は不揮発性メモリ、１つ以上の光保存装置及び／又はフラッシュメモリ（例えば、ＮＡＮＤ、ＮＯＲ）を含み得る。
【００８７】
メモリ１２１０はソフトウェアを格納する。ソフトウェア構成要素は、オペレーティングシステム（ＯＳ）モジュール１２１１、通信モジュール１２１２、グラフィックモジュール１２１３、ユーザインタフェースモジュール１２１４、ＣＯＤＥＣモジュール１２１５、カメラモジュール１２１６、及び１つ以上のアプリケーションモジュール１２１７などを含む。また、ソフトウェア構成要素であるモジュールは、命令の集合で表現できるため、モジュールを命令セット（ｉｎｓｔｒｕｃｔｉｏｎ  ｓｅｔ）と表現する場合もある。また、モジュールはプログラムで表現する場合もある。オペレーティングシステムモジュール１２１１（例えば、ＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳＸ、又はＶｘＷｏｒｋｓのような内蔵オペレーティングシステム）は、一般的なシステム動作（ｓｙｓｔｅｍ  ｏｐｅｒａｔｉｏｎ）を制御する様々なソフトウェア構成要素を含む。このような一般的なシステム動作の制御は、例えば、メモリ管理及び制御、保存用ハードウェア（装置）制御及び管理、電力制御及び管理などを意味する。このようなオペレーティングシステムソフトウェアは、様々なハードウェア（装置）とソフトウェア構成要素（モジュール）との間の通信を円滑にする機能も行う。
【００８８】
通信モジュール１２１２は、無線通信サブシステム１２３０、１２３１や外部ポート１２６０を介してコンピュータ、サーバ、及び／又は携帯端末などの他の電子装置と通信を可能にする。本実施形態の通信モジュール１２１２は、メッセージを発信した電子装置の連絡先が予め設定された連絡先の場合、予め設定された自動応答メッセージ状態を反映してメッセージを発信した電子装置に自動応答メッセージを送信する。また、通信モジュール１２１２は、電源が入っていない場合、電源が入った後、累積された少なくとも１つのメッセージを受信し、動作中のモード状態が節電モードに設定された場合、節電モード状態が一般モード状態に切り替えられた後、累積された少なくとも１つのメッセージを受信する。また、通信モジュール１２１２は、動作中のモード状態が節電モードに設定されていない場合にメッセージを受信し、ＧＰＳ衛星及び基地局のうちの少なくとも１つから現在の位置情報を受信する。また、通信モジュール１２１２は、ＧＰＳ衛星及び基地局のうちの少なくとも１つから現在の時刻情報を受信する。また、通信モジュール１２１２は、呼び出された第２メッセージを発信した電子装置に送信する。
【００８９】
グラフィックモジュール１２１３は、タッチスクリーン１２８０上にグラフィックを提供して表示するための様々なソフトウェア構成要素を含む。グラフィックという用語は、テキスト、ウェブページ、アイコン、デジタルイメージ、ビデオ、アニメーションなどを含む意味として用いられる。
【００９０】
ユーザインタフェースモジュール１２１４は、ユーザインタフェースに関連する様々なソフトウェア構成要素を含む。ユーザインタフェースの状態がどのように変更されるか又はユーザインタフェース状態の変更がどのような条件で行われるかなどに対する内容を含む。
【００９１】
コーデック（ＣＯＤＥＣ）モジュール１２１５は、ビデオファイルのエンコード及びデコードに関連したソフトウェア構成要素を含む。コーデックモジュールは、ＭＰＥＧモジュール及び／又はＨ２０４モジュールのようなビデオストリームモジュールを含み得る。また、コーデックモジュールは、ＡＡＡ、ＡＭＲ、ＷＭＡなどの様々なオーディオファイル用コーデックモジュールを含み得る。また、コーデックモジュール１２１５は、本発明の実施方法に対応する命令セットを含む。
【００９２】
カメラモジュール１２１６は、カメラ関連のプロセス及び機能を可能にするカメラ関連ソフトウェア構成要素を含む。
【００９３】
アプリケーションモジュール１２１７は、ブラウザ、電子メール、インスタントメッセージ、ワードプロセッシング、キーボードエミュレーション、アドレスブック、タッチリスト、ウィジェット、デジタル著作権管理（ＤＲＭ：Ｄｉｇｉｔａｌ  Ｒｉｇｈｔ  Ｍａｎａｇｅｍｅｎｔ）、音声認識、音声合成、位置決定機能、ロケーションベースサービスなどを含む。
【００９４】
また、上述した本発明による電子装置１２００の様々な機能は、１つ以上のストリームプロセッシング及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア及び／又はこれらの結合によって実行され得る。
【００９５】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００９６】
２０１、３０１    最初に受信したメッセージ
２０２、３０２    ２番目に受信したメッセージ
２０３、３０３    最後に受信したメッセージ
１２００    電子装置
１２１０    メモリ
１２１１    オペレーティングシステムモジュール
１２１２    通信モジュール
１２１３    グラフィックモジュール
１２１４    ユーザインタフェースモジュール
１２１５    ＣＯＤＥＣモジュール
１２１６    カメラモジュール
１２１７    アプリケーションモジュール
１２２０    プロセッサユニット
１２２１    メモリインタフェース
１２２２    プロセッサ
１２２３    周辺装置インタフェース
１２３０    第１無線通信サブシステム
１２３１    第２無線通信サブシステム
１２５０    オーディオサブシステム
１２５１    スピーカ
１２５２    マイクロホン
１２６０    外部ポート
１２７０    入出力システム
１２７１    タッチスクリーン制御器
１２７２    その他の入力制御器
１２８０    タッチスクリーン
１２９０    その他の入力／制御装置
１２９１    モーションセンサ
１２９２    光センサ
１２９３    カメラサブシステム
【図１】
2014103658.tif 000003
【図２】
2014103658.tif 000004
【図３】
2014103658.tif 000005
【図４】
2014103658.tif 000006
【図５】
2014103658.tif 000007
【図６】
2014103658.tif 000008
【図７】
2014103658.tif 000009
【図８】
2014103658.tif 000010
【図９】
2014103658.tif 000011
【図１０】
2014103658.tif 000012
【図１１】
2014103658.tif 000013
【図１２】
2014103658.tif 000014